(57)【特許請求の範囲】
【請求項１】
内部スイッチ構成体を収容するスイッチ筐体の側面壁に、一端側が外部機器に接続される接続ケーブルの他端側を挿通させるケーブル挿通孔を有するケーブル締め付け部材を螺着すると共に、前記ケーブル挿通孔内に基本的にリング形状のケーブル回り止め部材を相対回転可能に挿入し、該ケーブル回り止め部材の内孔にゴム弾性を有し且つストレート状の円孔を有してリング状に形成されたシール部材を遊嵌し、該シール部材に挿通させた前記接続ケーブルの他端側を前記内部スイッチ構成体に接続し、前記ケーブル締め付け部材を前記スイッチ筐体に螺着する過程において、前記ケーブル締め付け部材の前記ケーブル挿通孔の内壁が前記ケーブル回り止め部材の外周を摺動しながら前記ケーブル締め付け部材を前記スイッチ筐体に対して螺動侵入させて、前記ケーブル回り止め部材を前記ケーブル挿通孔と前記シール部材との間に圧入させ、前記シール部材を圧潰し、前記接続ケーブルを抱着保持することによって当該接続ケーブルの回り止めを施し、前記接続ケーブルを前記スイッチ筐体に連結するように構成し、さらに加えて、前記ケーブル回り止め部材における前記シール部材の初期食い付き部が外方に向かって拡開するテーパー面部に形成することにより、該テーパー面部の働きにより前記シール部材を前記接続ケーブル側に弾性変形させながら前記シール部材を前記接続ケーブルに圧接させるように構成したことを特徴とするスイッチ筐体への接続ケーブル連結構造。
【請求項２】
前記ケーブル回り止め部材にスナップヒット片を形成し、該スナップヒット片に形成した係合部に、前記ケーブル締め付け部材のケーブル挿通孔内壁に突出形成した係合突起を係合させることによって、前記ケーブル回り止め部材の前記ケーブル締め付け部材に対する脱落防止構造としたことを特徴とする請求項１に記載のスイッチ筐体への接続ケーブル連結構造。
【請求項３】
前記ケーブル締め付け部材に、環状のストッパー突起を形成し、該ストッパー突起を、前記ケーブル締め付け部材を前記スイッチ筐体に螺着させた際に、前記スイッチ筐体の前記側面壁に当接させることによって、前記ケーブル締め付け部材の前記スイッチ筐体への螺合挿入寸法を規制したことを特徴とする請求項１又は請求項２に記載のスイッチ筐体への接続ケーブル連結構造。
【請求項４】
前記シール部材の一端側先端部に、断面コ字状を呈する係合凹部を形成すると共に、前記スイッチ筐体に前記係合凹部が係合する突状係合部を形成して、前記シール部材を前記ケーブル挿通孔に嵌合した際に前記スイッチ筐体に対して抜け止めされるように構成したことを特徴とする請求項１乃至請求項３のいずれか一に記載のスイッチ筐体への接続ケーブル連結構造。
【発明の詳細な説明】
【技術分野】
【０００１】
本発明は、内部スイッチ構成体を収容するスイッチ筐体への接続ケーブル連結構造に関するもので、当該スイッチ筐体は、例えば産業機械が設置される部屋の出入口などに取付けられて、当該出入口の扉が開かれる時には当該産業機械への電源の供給を停止するようになしたドア用スイッチのスイッチ筐体として利用されるものである。
【背景技術】
【０００２】
この種のスイッチ筐体への接続ケーブル連結構造は、スイッチ筐体に、接続ケーブルを予め挿通させたケーブル締め付け部材を螺着することによって、当該接続ケーブルをスイッチ筐体に連結するように構成されている。
【０００３】
このように、ケーブル締め付け部材をスイッチ筐体に螺着する際には、既に、接続ケーブルは内部スイッチ構成体に接続されていることから、ケーブル締め付け部材の螺動に対して、回り止めされていることが必要である。
【０００４】
そこで、このような要請に答えるために、従来、例えば、次に説明するような二つの技術が知られている。
【０００５】
即ち、先ず一方の従来技術は、ドア用スイッチとして開発されたもので、内部スイッチ構成体を収容するスイッチ筐体の側面部に、筒状突起を一体に突出形成し、該筒状突起の外周に雄ねじ部を形成し、該雄ねじ部に、予め接続ケーブルを内孔に挿通させたリング状の締め付け部材の雌ねじ部を螺合することによって接続ケーブルをスイッチ筐体に連結しており、この際前記締め付け部材と前記接続ケーブルとの間にリング状のシール部材を介在させ、該シール部材を前記筒状突起の先端部と締め付け部材の先端底部との間に弾接させて、スイッチ筐体の内外間を密封するようにしている。
【０００６】
このために、前記筒状突起に対して前記締め付け部材を螺動させた際に、シール部材を介して接続ケーブルが回転してしまうことを防止する必要があり、このために、筒状突起の先端壁とシール部材との間に金属製の回転止めリングを介在させ、筒状突起に対して締め付け部材を螺動させた場合に当該締め付け部材が回転止めリング上を滑動して、接続ケーブルが回転止めされるように構成している（非特許文献１参照）。
【０００７】
かかる構成において、回転止めリングは、筒状突起に対して別部品構成となっているために、接続ケーブルに予め嵌合しただけでは、落下しやすく、接続ケーブルの連結作業を面倒にしているばかりでなく、使用する接続ケーブルとして外径寸法が種々のものを使用することから、シール部材が接続ケーブルに対してガタ付いた状態で挿入されるような場合が出てくることがあり、このような場合、当該シール部材との間で芯ずれが生じ、締め付け部材によってシール部材を筒状突起の先端壁に押し付けたとしても、芯ずれによるシール不良を起こしてしまうことがあるので、締め付け部材の取付け作業を慎重に行わざるを得なくなる。
【０００８】
そこで、このような課題を解決するために、次に説明するような他方のスイッチ筐体への接続ケーブル連結構造が開発され、現在市販されている。
【０００９】
これによれば、スイッチ筐体に対して前記一方の従来の技術の筒状突起に相当するケーブル回転止め部材を別体構成し、当該ケーブル回転止め部材の一端側に形成した雄ねじ部をスイッチ筐体の側面壁に形成した装着雌ねじ孔に螺合することによって、ケーブル回転止め部材をスイッチ筐体に螺着すると共に、ケーブル回転止め部材の他端側にも雄ねじ部を形成し、該他端側の雄ねじ部の先端側に先細り型のテーパー形状にした櫛歯状の弾性変形可能なケーブル回転止め部を形成しており、ケーブル回転止め部材の他端側の雄ねじ部に螺合する雌ねじ部を有する締め付け部材の先端底部に凹状のテーパー面を形成して構成している。
【００１０】
従って、ケーブル回転止め部材に形成した内孔に予めシール部材を嵌合すると共に、シール部材に接続ケーブルを挿入しておき、この状態で、ケーブル回転止め部材の他端側の雄ねじ部に締め付け部材の雌ねじ部を螺合させて、締め付け部材の先端底部の凹状のテーパー面によって、ケーブル回転止め部を縮径しながら塑性変形させて接続ケーブルを抱着保持することによって、締め付け部材の回動に連れてシール部材を介して接続ケーブルが回転しないようにして、接続ケーブルをケーブル回転止め部材を介してスイッチ筐体に連結するように構成している。
【００１１】
従って、シール部材は、ケーブル回転止め部材の内孔に嵌合していることから、脱落防止構造となっていると共に、締め付け部材の先端底部の凹状テーパー面により、テーパー形状に形成された櫛歯状のケーブル回転止め部を縮径させて塑性変形するように構成したことから、シール部材の芯ずれが起きないようにしている（非特許文献２を参照）。
【非特許文献１】オムロン株式会社発行のＤ４ＧＳ−Ｎ型ドアスイッチの商品型録                  （http://WWW.fa.omron.co.jp参照）
【非特許文献２】株式会社ケーメックス発行のスキントップ  ＳＴ−Ｍの商品カタ                  ログ（http://www.komecs.com参照）
【発明の開示】
【発明が解決しようとする課題】
【００１２】
上記後者の従来技術によれば、樹脂成形品であるケーブル回転止め部材の櫛歯状のケーブル回転止め部を締め付け部材を用い塑性変形させることによって、シール部材を締め付けていることから、一旦接続ケーブルを連結した後に、再利用しようとしても再利用できず使い捨てとなってしまい、特に、一旦使用したケーブル回転止め部材は縮径状態で塑性変形していることから、次により太径の接続ケーブルを使用しようとしても再挿入することができなくなってしまっている。
【００１３】
そこで、本発明は、ケーブル回転止め部材の螺動に対して接続ケーブルを回り止めされた状態でスイッチ筐体に連結されることを前提に、一旦接続ケーブルを連結した後に取外したとしても再利用可能とすると共に、シール部材の芯ずれによるシール機能不足を起こさないようにしたスイッチ筐体への接続ケーブル連結構造を提供することを目的としている。
【課題を解決するための手段】
【００１４】
本発明に係るスイッチ筐体への接続ケーブル連結構造は、内部スイッチ構成体を収容するスイッチ筐体の側面壁に、一端側が外部機器に接続される接続ケーブルの他端側を挿通させるケーブル挿通孔を有するケーブル締め付け部材を螺着すると共に、前記ケーブル挿通孔内に基本的にリング形状のケーブル回り止め部材を相対回転可能に挿入し、該ケーブル回り止め部材の内孔にゴム弾性を有し且つストレート状の円孔を有してリング状に形成されたシール部材を遊嵌し、該シール部材に挿通させた前記接続ケーブルの他端側を前記内部スイッチ構成体に接続し、前記ケーブル締め付け部材を前記スイッチ筐体に螺着する過程において、前記ケーブル締め付け部材の前記ケーブル挿通孔の内壁が前記ケーブル回り止め部材の外周を摺動しながら前記ケーブル締め付け部材を前記スイッチ筐体に対して螺動侵入させて、前記ケーブル回り止め部材を前記ケーブル挿通孔と前記シール部材との間に圧入させ、前記シール部材を圧潰し、前記接続ケーブルを抱着保持することによって当該接続ケーブルの回り止めを施し、前記接続ケーブルを前記スイッチ筐体に連結するように構成し、さらに加えて、前記ケーブル回り止め部材における前記シール部材の初期食い付き部が外方に向かって拡開するテーパー面部に形成することにより、該テーパー面部の働きにより前記シール部材を前記接続ケーブル側に弾性変形させながら前記シール部材を前記接続ケーブルに圧接させるように構成したことを特徴とするものである。
【００１５】
かかる構成を有することにより、ケーブル締め付け部材をスイッチ筐体に螺着する過程において、ケーブル回り止め部材をケーブル挿通孔とシール部材との間に圧入させて、当該シール部材をゴム弾性変形による圧潰をさせながら接続ケーブルの回り止めを施すようにしたことから、前記前者の従来技術のようなシール部材の芯ずれによるシール機能の低下を起こさずに、シール部材によるケーブル締め付け部材とスイッチ筐体とのシール機能をそれほど慎重に作業を行わずとも常時完全にすることができ、しかも、前記後者の従来技術のようにケーブル締め付け部材自体を塑性変形させて接続ケーブルの回り止めを行うものではないことから、再利用可能構成を採ることができることになる。
【００１７】
また、かかる構成により、ケーブル回り止め部材におけるテーパー面部がシール部材の初期食い付き部として働くことになり、シール部材をテーパー面部に添って圧潰させていくことになって、シール部材がさらに確実にケーブル挿通孔内において芯出しされ、従来技術のようなシール部材のガタツキによるシール不良を起こすことがないことになる。
【００１８】
又、上記本発明に係るスイッチ筐体への接続ケーブル連結構造は、前記ケーブル回り止め部材にスナップヒット片を形成し、該スナップヒット片に形成した係合部に、前記ケーブル締め付け部材のケーブル挿通孔内壁に突出形成した係合突起を係合させることによって、前記ケーブル回り止め部材の前記ケーブル締め付け部材に対する脱落防止構造にしてもよい。
【００１９】
かかる構成により、ケーブル回り止め部材はケーブル締め付け部材に対してスナップヒット片による脱落防止構造をとっているために、接続ケーブルの連結作業を容易となるばかりでなく、使用する接続ケーブルとして外径寸法が種々のものをたとえ使用したとしても、シール部材との間でセンターずれを生じることがなく、この結果、シール不良が起こることがない。
【００２０】
又、上記本発明に係るスイッチ筐体への接続ケーブル連結構造は、前記ケーブル締め付け部材に、環状のストッパー突起を形成し、該ストッパー突起を前記スイッチ筐体の前記側面壁に当接させることによって、前記ケーブル締め付け部材の前記スイッチ筐体への螺合挿入寸法を規制する構成をとるようにしてもよい。
【００２１】
かかる構成により、ケーブル締め付け部材のスイッチ筐体への挿入し過ぎを無くすことができ、この結果、シール部材の過度の弾性変形を抑制して、シール機能を常時適正なものに保持することができる。
【００２２】
また、上記本発明に係るスイッチ筐体への接続ケーブル連結構造は、前記シール部材が、前記スイッチ筐体に抜け止めされた状態で設置される構成を取るようにしてもよく、また、当該シール部材の抜け止め構成として、前記シール部材の一端側先端部に、断面コ字状を呈する係合凹部を形成すると共に、前記スイッチ筐体に前記係合凹部が係合する突状係合部を形成して、前記シール部材を前記ケーブル挿通孔に嵌合した際に前記スイッチ筐体に対して抜け止めされるように構成するようにしてもよい。
【００２３】
かかる構成により、シール部材をスイッチ筐体に抜け止め保持した状態で、ケーブル締め付け部材をスイッチ筐体に螺合することができ、当該作業をよりやり易く、しかも、シール部材におけるケーブル締め付け部材の螺合初期時からより安定保持させることができる。
【発明の効果】
【００２４】
上記のように構成する本発明によれば、ケーブル締め付け部材をスイッチ筐体に螺着する過程において、ケーブル回り止め部材をケーブル挿通孔とシール部材との間に圧入させて、当該シール部材をゴム弾性変形による圧潰をさせながら接続ケーブルの回り止めを施すようにしたことから、前記前者の従来技術のようなシール部材の芯ずれによるシール機能の低下を起こさずに、シール部材によるケーブル締め付け部材とスイッチ筐体とのシール機能をそれほど慎重に作業を行わずとも常時完全にすることができ、しかも、前記後者の従来技術のようにケーブル締め付け部材自体を塑性変形させて接続ケーブルの回り止めを行うものではないことから、再利用可能構成を採ることができることになる。
【発明を実施するための最良の形態】
【００２５】
次に、本発明に係る実施の形態について、図１乃至図３を用いて説明する。
【００２６】
図１は本発明に係る第１の実施例を採用したドア用スイッチの分解斜視図、図２は図１におけるシール部材の斜視図、図３は図１におけるケーブル回転防止部材の斜視図、図４は図１におけるケーブル締め付け部材の斜視図、図５は図１における接続ケーブルをスイッチ筐体に連結する前の状態を描画した要部縦断面図、図６は図１における接続ケーブルをスイッチ筐体に連結する中途過程を描画した要部縦断面図、図７は図１における接続ケーブルをスイッチ筐体に連結した状態を描画した要部縦断面図である。
【００２７】
図１において、本発明に係る第１の実施例を採用したドア用スイッチのスイッチ筐体１は、不図示の内部スイッチ構造体を収容すべく、その前面が開口されたボックス形状のスイッチケース２とスイッチケース２の前面開口部を開閉する蓋体３とを有して構成している。
【００２８】
蓋体３は、上端側が例えば不図示の蝶番によってスイッチケース２に開閉動可能に設置されていると共に、下端部をねじ止め等することによって、スイッチケース体２に固定するようになっている。
【００２９】
スイッチケース２の上部側の側面壁２ａには、産業機械等が配置される部屋の出入口ドアの開閉によって前記内部スイッチ構造体を開閉操作するキー操作体を収容するヘッドブロック筐体４が配設されている。
【００３０】
又、スイッチケース２の下部側における側面壁２ｂのほぼ中央部には、その内壁に雌ねじ部５ａが形成されたケーブル挿通孔５が形成されている。
【００３１】
ケーブル挿通孔５には、一端側が不図示の外部機器に接続している接続ケーブル６の他端側を前記内部スイッチ構造体に接続すべく挿通するようになっている。
【００３２】
そして、接続ケーブル６の他端側をケーブル挿通孔５に挿通する前に、接続ケーブル６は、基本的にリング形状に形成されたケーブル回り止め部材７の内孔７ａに挿入されており、また、ケーブル挿通孔５には、図２に明確に示すように、ゴム弾性を有し且つストレート状の円孔を有してリング状に形成されたシール部材８が挿入されており、この状態において、シール部材８の外周壁とケーブル挿通孔５の雌ねじ部５ａとの間に所定の隙間Ｓが形成されていると共に、シール部材８の上端部は、ケーブル挿通孔５の上端側の突起を有する棚部５ｂに当接していることになる。
【００３３】
ケーブル回り止め部材７の内孔７ａは、その下端部が円孔部７ｂに形成されていると共に、上端部側がシール部材８の初期食い付き部を形成すべく外方に向かって拡開するような凹状のテーパー面部７ｃに形成され、テーパー面部７ｃに対応して、ケーブル回り止め部材７の外周側を突状のテーパー面部７ｇに形成されており、又、円孔部７ｂの下端には、互いに離間する状態で、４本のスナップヒット片７ｄが垂下するように形成されており、各スナップヒット片７ｄの下端部外周には、それぞれ図３に明確に示すように、係合爪７ｅが形成され、さらに、ケーブル回り止め部材７の上部先端側外周には、外方に突出するように引掛け突起７ｆが形成されている。
【００３４】
そして、ケーブル回り止め部材７は、ケーブル締め付け部材９の内孔９ａ内において相対回転可能に挿入されるようになっている。
【００３５】
ケーブル締め付け部材９の内孔９ａは、ケーブル締め付け部材９の略中央部において、円孔９ａ―１に形成され、円孔９ａ―１の上端開口側は、ケーブル回り止め部材７のテーパー面部７ｇに対応してテーパー状孔９ａ―２に形成されると共に、円孔９ａ−１の下端側は円孔９ａ―１より拡径した大径の先端円孔９ａ−３に形成され、より大径の先端側円孔９ａ−３と円孔部９ａ−１との境界部には、スナップヒット片７ｄの係合爪７ｅが係合する環状の係合突起９ｂが形成されている。
【００３６】
又、ケーブル締め付け部材９の外周において、内孔９ａ及びテーパー状孔９ａ−２に対向する位置に、ケーブル挿通孔５に形成した雌ねじ部５ａに螺合する雄ねじ部９ｃが形成され、雄ねじ部９ｃの下端側には、雄ねじ部９ｃを雌ねじ部５ａに螺合させた際にスイッチケース１の下端面側の側面壁２ｂに当接する環状のストッパー突起９ｄが形成されている（例えば、図４、図５参照）。
【００３７】
以上のように構成する場合、接続ケーブル６をスイッチ筐体１に連結するには、先ず、図５に示すように、スイッチ筐体１内に収容されている内部スイッチ構成体に接続した接続ケーブル６に予め遊嵌したシール部材８を、ケーブル挿通孔５に遊嵌しておき、このとき、シール部材８の上端部がケーブル挿通孔５の棚部５ｂに当接し、しかも、シール部材８の外周壁とケーブル挿通孔５の雌ねじ部５ａとの間に所定の隙間Ｓが形成されるようになっている。
【００３８】
又、ケーブル回り止め部材７は、ケーブル締め付け部材９の内孔９ａ内に相対回転可能に挿入し、ケーブル回り止め部材７の引っ掛け突起７ｆをケーブル締め付け部材９の上端部に引っ掛けた状態で、スナップヒット片７ｄの係合爪７ｅをケーブル締め付け部材９の係合段部９а−４に係合し、ケーブル締め付け部材９に組立てた状態で、ケーブル回り止め部材７の内孔７ａに、ケーブル回り止め部材７及びケーブル締め付け部材９の組立体がシール部材８の図５において下方に位置するように、接続ケーブル６を挿通させている。
【００３９】
次に、ケーブル回り止め部材７の図５における上端部側をケーブル挿通孔５とシール部材８との間に形成された隙間Ｓにあてがった状態で、ケーブル締め付け部材９の雄ねじ部９ｃを螺動させてケーブル挿通孔５の雌ねじ部５ａに螺合していき、ケーブル回り止め部材７をケーブル挿通孔５とシール部材８との間の隙間Ｓに圧入させていく。
【００４０】
この結果、図６に示すように、ケーブル回り止め部材７のテーパー面部７ｃの働きにより、シール部材８の図において下端側を接続ケーブル６側に弾性変形させながら圧潰し、シール部材８は接続ケーブル６に圧接することになる。
【００４１】
逆に、ケーブル回り止め部材７の外周とケーブル締め付け部材９の内孔９ａとは、ケーブル回り止め部材７及びケーブル締め付け部材９が互いに樹脂或いは金属等の摩擦係数がシール部材８の摩擦係数に比較して相当少ない材料で構成され、しかも、ケーブル締め付け部材９の螺動が進行することによってシール部材８が圧潰していくために、ケーブル締め付け部材９は、内孔９ａがケーブル回り止め部材７の外周を滑動しながら螺動することになり、接続ケーブル６を回転止めしながら、ケーブル回り止め部材７をスライドさせながら、ケーブル挿通孔５内に侵入していくことになる。
【００４２】
このような状態から、さらにケーブル締め付け部材９を螺動させていくと、図７に示すように、ケーブル締め付け部材９のストッパー突起９ｄがスイッチケース２の下部側の側面壁２ｂに当接することになって、ケーブル締め付け部材９のケーブル挿通孔５への挿入寸法を規制することになり、接続ケーブル６におけるスイッチ筐体１への連結を完了することになる。
【００４３】
かかる構成により、上記第１の実施例によれば、ケーブル締め付け部材９の雄ねじ部９ｃをケーブル挿通孔５の雌ねじ部５ａに螺合する過程において、ケーブル回り止め部材７をケーブル挿通孔５とシール部材８との間に圧入させて、シール部材８をテーパー状孔９ａ−２の働きによりゴム弾性変形による圧潰をさせ、接続ケーブル６の回り止めを施したことから、従来技術のようなシール部材の芯ずれによるシール機能の低下を起こさずに、シール部材８によるケーブル締め付け部材９とスイッチ筐体１とのシール機能をそれほど慎重に作業を行わずとも常時完全にすることができ、しかも、従来技術のようにケーブル締め付け部材自体を塑性変形させて接続ケーブルの回り止めを行うものではないことから、再利用可能構成を採ることができることになる。
【００４４】
又、かかる構成により、ケーブル回り止め部材７におけるテーパー面部７ｃが、シール部材８の初期食い付き部となって、シール部材８をテーパー面部７ｃに沿って圧潰することになって、シール部材８がさらに確実に自動的にケーブル挿通孔５内において芯出しされることになり、従来の技術のようなシール部材のガタツキによるシール不足を起こすことがないことになる。
【００４５】
又、上記実施例においては、ケーブル回り止め部材７は、スナップヒット片７ｄの係合爪７ｅをケーブル締め付け部材９側の係合突起９ｂに係合することにより互いに組付けることによって、ケーブル締め付け部材９に対して脱落防止構造となっており、接続ケーブルの連結作業が容易にできることになる。
【００４６】
又、上記実施例においては、ケーブル締め付け部材９の外周部に、環状のストッパー突起９ｄを形成し、ストッパー突起９ｄをスイッチ筐体１のスイッチケース２の下部側の側面壁２ｂに当接させることによって、ケーブル締め付け部材９のケーブル挿通孔５への挿入寸法を規制するようにしていることから、ケーブル締め付け部材９のケーブル挿通孔５への挿入し過ぎを無くすことができ、この結果、シール部材８の過度の弾性変形を抑制して、シール機能を常時適正なものに保持することができる。
【００４７】
図８及び図９は本発明に係る第２の実施例を記載したものである。
【００４８】
図８及び図９によれば、シール部材８の図において上部側の先端部に、断面コ字状を呈する係合凹部８ａを形成すると共に、スイッチケース２におけるケーブル挿通孔５の奥部側に係合凹部８ａが係合する環状の突状係合部５ｃを形成して、シール部材８をケーブル挿通孔５に嵌合した際にケーブル挿通孔５に対して抜け止めされるように構成しているもので、その他の構成は前記第１の実施例と同一構成を有して構成するものである。
【００４９】
かかる構成により、シール部材８をスイッチケース２のケーブル挿通孔５内に抜け止め保持した状態で、ケーブル締め付け部材９をケーブル挿通孔５に螺合することができ、当該作業をよりやりやすく、しかも、シール部材８におけるケーブル締め付け部材９の螺合初期時からより安定保持させることができる。
【００５０】
なお上記実施例においては、スイッチ筐体１側に設けたケーブル挿通孔５の雌ねじ部５ａにケーブル締め付け部材９に形成した雄ねじ部９ｃを螺合することによって、ケーブル締め付け部材９をスイッチ筐体１に装着するように構成したが、これに限定されるものではなく、例えば、スイッチ筐体１側に突状のケーブル締め付け部材装着部を形成し、このケーブル締め付け部材装着部の外周に雄ねじ部を形成し、これに対応して、ケーブル締め付け部材９側に雌ねじ部を形成して、ケーブル締め付け部材９をスイッチ筐体１に装着するように構成するようにしてもよい。
【産業上の利用可能性】
【００５１】
以上説明したように、本発明は、ケーブル締め付け部材をスイッチ筐体に螺着する過程において、ケーブル回り止め部材をケーブル挿通孔とシール部材との間に圧入させて、当該シール部材をゴム弾性変形による圧潰をさせながら接続ケーブルの回り止めを施すようにしたことから、前記前者の従来技術のようなシール部材の芯ずれによるシール機能の低下を起こさずに、シール部材によるケーブル締め付け部材とスイッチ筐体とのシール機能をそれほど慎重に作業を行わずとも常時完全にすることができ、しかも、前記後者の従来技術のようにケーブル締め付け部材自体を塑性変形させて接続ケーブルの回り止めを行うものではないことから、再利用可能構成を採ることができることになるために、例えば、産業機械が設置される部屋の出入口などに取付けられて、当該出入口の扉が開かれたときには、産業機械等への電源供給を停止するようになしたドア用スイッチ等を構成する内部スイッチ構成体を収容するスイッチ筐体への接続ケーブル連結構造等に好適であるといえる。
【図面の簡単な説明】
【００５２】
【図１】図１は本発明に係る第１の実施礼を採用したドア用スイッチの分解斜視図である。
【図２】図１におけるシール部材の斜視図である。
【図３】図１におけるケーブル回転防止部材の斜視図である。
【図４】図１におけるケーブル締め付け部材の斜視図である。
【図５】図１における接続ケーブルをスイッチ筐体に連結する前の状態を描画した要部縦断面図である。
【図６】図１における接続ケーブルをスイッチ筐体に連結する中途過程を描画した要部縦断面図である。
【図７】図１における接続ケーブルをスイッチ筐体に連結した状態を描画した要部縦断面図である。
【図８】本発明に係る第２の実施例を採用したシール部材の斜視図である。
【図９】同じく本発明に係る第２の実施例における接続ケーブルをスイッチ筐体に連結した状態を描画した要部縦断面図である。
【符号の説明】
【００５３】
１    スイッチ筐体
２    スイッチケース
２ｂ  側面壁
３    蓋体
５    ケーブル挿通孔
５ａ  雌ねじ部
５ｂ  突状係合部
６    接続ケーブル
７    ケーブル回り止め部材
７ｃ  テーパー面部（食い付き部）
７ｄ  スナップヒット片
７ｄ−１  係合部
８    シール部材
９    ケーブル締め付け部材
９ａ  内孔
９ｂ  係合突起
９ｃ  雄ねじ部
９ｄ  ストッパー突起
【図１】
0005130901.tif 000002
【図２】
0005130901.tif 000003
【図３】
0005130901.tif 000004
【図４】
0005130901.tif 000005
【図５】
0005130901.tif 000006
【図６】
0005130901.tif 000007
【図７】
0005130901.tif 000008
【図８】
0005130901.tif 000009
【図９】
0005130901.tif 000010